(57)【要約】【課題】磁石を内蔵したマットレスにおいて、使用者が違和感を覚えることがなくしかも、両面使用が可能な磁石内蔵マットレスを提供する。【解決手段】  複数の磁石をそれぞれ所要位置に配置したポリエステル１００％の不織布からなる第１のシート体と、この第１のシート体の磁石配設面側に積重したポリエステル１００％の不織布からなる第２のシート体とで芯シート体を構成し、この芯シート体の上面と下面とに、片面にコットン１００％の表面シート体を設けたポリエステル１００％の樹脂綿からなる所定厚みの第１の樹脂綿シート体と第２の樹脂綿シート体とをそれぞれ積重し、厚み方向に表面シート体、第１の樹脂綿シート体、第１のシート体、第２のシート体、第２の樹脂綿シート体、表面シート体の順で積重して一体的に縫合して磁石内蔵マットレスとする。磁石は、第１のシート体の磁石配設面に両面テープで貼着する。【選択図】図１
0003103068.tif 000002
【実用新案登録請求の範囲】
【請求項１】
複数の磁石をそれぞれ所要位置に配置したポリエステル１００％の不織布からなる第１のシート体と、この第１のシート体の磁石配設面側に積重したポリエステル１００％の不織布からなる第２のシート体とで芯シート体を構成し、
この芯シート体の上面と下面とに、片面にコットン１００％の表面シート体を設けたポリエステル１００％の樹脂綿からなる所定厚みの第１の樹脂綿シート体と第２の樹脂綿シート体とをそれぞれ積重し、
厚み方向に前記表面シート体、前記第１の樹脂綿シート体、前記第１のシート体、前記第２のシート体、前記第２の樹脂綿シート体、前記表面シート体の順で積重して一体的に縫合した磁石内蔵マットレス。
【請求項２】
前記磁石は、前記第１のシート体の前記磁石配設面に両面テープで貼着したことを特徴とする請求項１記載の磁石内蔵マットレス。
【請求項３】
前記磁石は、略矩形形状とした第１のシート体の長手方向に沿った第１縦辺と第２縦辺との間に、前記第１縦辺から前記第２縦辺に向けて、前記第１縦辺及び前記第２縦辺と略平行に順次設けた第１縦仮想線と、第２縦仮想線と、第３縦仮想線と、第４縦仮想線と、第５縦仮想線と、第６縦仮想線と、第７縦仮想線と、前記第１縦辺及び前記第２縦辺と略直交する前記第１のシート体の第１横辺と第２横辺との間に、前記第１横辺から前記第２横辺に向けて、前記第１横辺及び前記第２横辺と略平行に順次設けた第１横仮想線と、第２横仮想線と、第３横仮想線と、第４横仮想線と、第５横仮想線と、第６横仮想線と、第７横仮想線と、第８横仮想線と、第９横仮想線と、第１０横仮想線と、第１１横仮想線と、第１２横仮想線と、第１３横仮想線とのそれぞれ交点であって、
特に、前記第１〜７縦仮想線と前記第１〜４横仮想線との交点と、前記第２〜６縦仮想線と前記第５〜９横仮想線との交点と、前記第１〜７縦仮想線と前記第１０〜１２横仮想線との交点と、前記第２〜６縦仮想線と前記第１３横仮想線との交点にそれぞれ設けたことを特徴とする請求項１または請求項２に記載の磁石内蔵マットレス。
【請求項４】
前記第４縦仮想線は、前記第１縦辺と前記第２縦辺との略中間に位置させて、前記第２〜６縦仮想線を約８０ｍｍ間隔とするとともに、前記第１縦仮想線と前記第２縦仮想線との間隔は約９０ｍｍ、前記第６縦仮想線と前記第７縦仮想線との間隔は約９０ｍｍとし、さらに、前記第７横仮想線は、前記第１横辺と前記第２横辺との略中間に位置させて、前記第１〜１３横仮想線を約１００ｍｍ間隔としたことを特徴とする請求項３記載の磁石内蔵マットレス。
【考案の詳細な説明】
【技術分野】
【０００１】
本考案は、複数の磁石を内蔵したマットレスに関するものである。
【背景技術】
【０００２】
従来、布団やクッション等のように人が横たわる際に使用する敷物に磁石を装着して、血行促進を目的とした敷物が知られている（例えば、特許文献１参照。）。
【特許文献１】実開平５−４１５６１号公報
【考案の開示】
【考案が解決しようとする課題】
【０００３】
しかしながら、上記した敷物でマットレスを構成した場合には、マットレス表面の磁石の存在部位が凸状となることによって、このマットレスに横たわった場合に違和感を覚えるという不具合があった。
【０００４】
しかも、磁石は一方の側面にのみ配設されるので、磁石の配設面が汚れた場合に直ちに使用できなくなるおそれがあった。
【課題を解決するための手段】
【０００５】
そこで、本考案の磁石内蔵マットレスでは、複数の磁石をそれぞれ所要位置に配置したポリエステル１００％の不織布からなる第１のシート体と、この第１のシート体の磁石配設面側に積重したポリエステル１００％の不織布からなる第２のシート体とで芯シート体を構成し、この芯シート体の上面と下面とに、片面にコットン１００％の表面シート体を設けたポリエステル１００％の樹脂綿からなる所定厚みの第１の樹脂綿シート体と第２の樹脂綿シート体とをそれぞれ積重し、厚み方向に表面シート体、第１の樹脂綿シート体、第１のシート体、第２のシート体、第２の樹脂綿シート体、表面シート体の順で積重して一体的に縫合して磁石内蔵マットレスを形成した。
【０００６】
また、以下の点にも特徴を有するものである。すなわち、
（１）磁石は、第１のシート体の磁石配設面に両面テープで貼着したこと。
（２）磁石は、略矩形形状とした第１のシート体の長手方向に沿った第１縦辺と第２縦辺との間に、第１縦辺から第２縦辺に向けて、第１縦辺及び第２縦辺と略平行に順次設けた第１縦仮想線と、第２縦仮想線と、第３縦仮想線と、第４縦仮想線と、第５縦仮想線と、第６縦仮想線と、第７縦仮想線と、第１縦辺及び第２縦辺と略直交する第１のシート体の第１横辺と第２横辺との間に、第１横辺から第２横辺に向けて、第１横辺及び第２横辺と略平行に順次設けた第１横仮想線と、第２横仮想線と、第３横仮想線と、第４横仮想線と、第５横仮想線と、第６横仮想線と、第７横仮想線と、第８横仮想線と、第９横仮想線と、第１０横仮想線と、第１１横仮想線と、第１２横仮想線と、第１３横仮想線とのそれぞれ交点であって、特に、第１〜７縦仮想線と第１〜４横仮想線との交点と、第２〜６縦仮想線と第５〜９横仮想線との交点と、第１〜７縦仮想線と第１０〜１２横仮想線との交点と、第２〜６縦仮想線と第１３横仮想線との交点にそれぞれ設けたこと。
（３）第４縦仮想線は、第１縦辺と第２縦辺との略中間に位置させて、第２〜６縦仮想線を約８０ｍｍ間隔とするとともに、第１縦仮想線と第２縦仮想線との間隔は約９０ｍｍ、第６縦仮想線と第７縦仮想線との間隔は約９０ｍｍとし、さらに、第７横仮想線は、第１横辺と第２横辺との略中間に位置させて、第１〜１３横仮想線を約１００ｍｍ間隔としたこと。
【考案の効果】
【０００７】
請求項１記載の本考案によれば、複数の磁石をそれぞれ所要位置に配置したポリエステル１００％の不織布からなる第１のシート体と、この第１のシート体の磁石配設面側に積重したポリエステル１００％の不織布からなる第２のシート体とで芯シート体を構成し、この芯シート体の上面と下面とに、片面にコットン１００％の表面シート体を設けたポリエステル１００％の樹脂綿からなる所定厚みの第１の樹脂綿シート体と第２の樹脂綿シート体とをそれぞれ積重し、厚み方向に表面シート体、第１の樹脂綿シート体、第１のシート体、第２のシート体、第２の樹脂綿シート体、表面シート体の順で積重して一体的に縫合して磁石内蔵マットレスを形成したことによって、磁石を内蔵したことにより形成される凸形状を第１の樹脂綿シート体及び第２の樹脂綿シート体で均すことができるので、その凸形状を使用者が認識することはなく、磁石を内蔵していることを使用者に意識させることなく使用させることができる。
【０００８】
しかも、磁石内蔵マットレスの一方の面が汚れた場合には、とりあえず磁石内蔵マットレスを裏返すことによって内蔵した磁石の効果を維持しながら使用することができ、さらに、裏面側も汚れた場合には、一体化のための縫合を解いて、それぞれ洗浄したり、あるいは新規な部材に取り替えたりすることによって、比較的長期間使用することができる。
【０００９】
請求項２記載の本考案によれば、磁石は、第１のシート体の磁石配設面に両面テープで貼着したことによって、第１のシート体への磁石の着脱を容易に行うことができ、第１のシート体が汚れた場合には第１のシート体から磁石を取り外して清潔なあるいは新規の第１のシート体に磁石を付け直すことができ、磁石をきわめて容易に再利用することができる。
【００１０】
請求項３記載の本考案によれば、第１〜７縦仮想線と第１〜４横仮想線との交点と、第２〜６縦仮想線と第５〜９横仮想線との交点と、第１〜７縦仮想線と第１０〜１２横仮想線との交点と、第２〜６縦仮想線と第１３横仮想線との交点にそれぞれ磁石を設けたことによって、仰向け状態に寝た場合に横幅の比較的大きい肩回り及び腰回りに効率よく磁石の磁気を作用させることができる。
【００１１】
請求項４記載の本考案によれば、第４縦仮想線は、第１縦辺と第２縦辺との略中間に位置させて、第２〜６縦仮想線を約８０ｍｍ間隔とするとともに、第１縦仮想線と第２縦仮想線との間隔は約９０ｍｍ、第６縦仮想線と第７縦仮想線との間隔は約９０ｍｍとし、さらに、第７横仮想線は、第１横辺と第２横辺との略中間に位置させて、第１〜１３横仮想線を約１００ｍｍ間隔としたことによって、体格の差及び体型の差等の影響を比較的受けることなく使用することができ、磁石の配設形態を１つの形態として生産性を向上させることができる。
【考案を実施するための最良の形態】
【００１２】
本考案の磁石内蔵マットレスでは、内部に磁石を設けているマットレスであって、厚み方向に表面シート体と、第１樹脂綿シート体と、第１シート体と、第２シート体と、第２樹脂綿シート体と、表面シート体とを順次積重して一体的に縫合しており、第１シート体と第２シート体との間に磁石を設けているものである。
【００１３】
以下において、図面に基づいて本考案の実施形態について説明する。図１は、本実施形態の磁石内蔵マットレスＡの縦断面概略説明図である。
【００１４】
本実施形態の磁石内蔵マットレスＡは、上記したように、厚み方向に第１表面シート体31と、第１樹脂綿シート体21と、第１シート体11と、第２シート体12と、第２樹脂綿シート体22と、第２表面シート体32とを順次積重している。
【００１５】
第１シート体11及び第２シート体12はポリエステル１００％の不織布で構成しており、後述するようにこの第１シート体11と第２シート体12との間に介設した磁石Ｍに局部的に外力が加わって、磁石Ｍが破損することを防止している。
【００１６】
そして、第１シート体11の第２シート体12との重合面を磁石配設面13として、この磁石配設面13の所定位置にそれぞれ磁石Ｍを配置している。磁石配設面13に磁石Ｍを配設した第１シート体11に第２シート体12を積重して芯シート体10を形成している。
【００１７】
第１樹脂綿シート体21及び第２樹脂綿シート体22はポリエステル１００％の樹脂綿で構成しており、磁石内蔵マットレスＡが所要の柔軟性を有するようにしている。したがって、芯シート体10の内部に磁石Ｍを設けたことによる凸形状を第１樹脂綿シート体21及び第２樹脂綿シート体22で均すことができ、磁石内蔵マットレスＡの使用者が磁石Ｍの存在を意識することなく使用することができる。
【００１８】
第１表面シート体31及び第２表面シート体32はコットン１００％の布地で構成しており、程よい肌触り感が得られるようにしている。
【００１９】
このように第１表面シート体31と、第１樹脂綿シート体21と、第１シート体11と、第２シート体12と、第２樹脂綿シート体22と、第２表面シート体32とをこの順で順次積重し、一体的に縫合するとともに、第１シート体11と第２シート体12との間には磁石Ｍを介設して磁石内蔵マットレスＡを形成することによって、磁石内蔵マットレスＡの一方の面が汚れた場合には、とりあえず磁石内蔵マットレスＡを裏返すことによって内蔵した磁石Ｍの効果を維持しながら使用することができる。
【００２０】
さらに、磁石内蔵マットレスＡの裏面側も汚れた場合には、一体化のための縫合を解いて、それぞれ洗浄したり、あるいは新規な部材に取り替えたりすることによって、比較的長期間使用することができる。
【００２１】
本実施形態では、第１表面シート体31を第１樹脂綿シート体21の片面に設けるとともに、第２表面シート体32を第２樹脂綿シート体22の片面に設けて図示しない縫合糸によって縫合するようにしているが、第１表面シート体31及び第２表面シート体32を予め袋形状に縫合して袋状表面シートを形成し、この袋状表面シートの内部に、第１樹脂綿シート体21及び第２樹脂綿シート体22を積重した芯シート体10を収容して磁石内蔵マットレスＡを形成するようにしてもよい。
【００２２】
第１シート体11の磁石配設面13に磁石Ｍを配置する場合には、磁石Ｍの片面に両面テープ14を貼着し、この両面テープ14の他面を第１シート体11に貼着して、磁石配設面13への磁石Ｍの取付を行っている。このように両面テープ14を用いて磁石Ｍを第１シート体11に貼着することによって、第１シート体11への磁石Ｍの着脱作業を極めて容易に行うことができる。
【００２３】
特に、磁石Ｍは、Ｎ極とＳ極のうちいずれか一方の極側に両面テープ14を貼着して磁石配設面13への貼着を行っており、特に、本実施形態では、Ｓ極側に両面テープ14を貼着して磁石配設面13への貼着を行っている。そして、基本的には、Ｎ極側の面が表側となるようにしている。
【００２４】
第１シート体11が汚れた場合には、第１シート体11から磁石Ｍを取り外して、洗浄処理された第１シート体11あるいは新しい第１シート体11に磁石を容易に付け直すことができ、磁石Ｍの再利用を図ることができる。ここで、磁石Ｍには、円盤状となった磁石を用いている。
【００２５】
磁石Ｍを両面テープ14で貼着したことによって、磁石Ｍが仮に破損した場合でも磁石Ｍの破片が芯シート体10の内部で拡散することを防止できる。
【００２６】
磁石Ｍを第１シート体11の磁石配設面13に貼着する場合には、次のようにしている。
【００２７】
まず、第１シート体11の磁石配設面13において、図２に示すように、略矩形形状とした第１シート体11の長手方向に沿った第１縦辺11aと第２縦辺11bとの間に、第１縦辺11aから第２縦辺11bに向けて、第１縦辺11a及び第２縦辺11bと略平行に第１縦仮想線R1と、第２縦仮想線R2と、第３縦仮想線R3と、第４縦仮想線R4と、第５縦仮想線R5と、第６縦仮想線R6と、第７縦仮想線R7を順次想定する。
【００２８】
さらに、第１縦辺11a及び第２縦辺11bと略直交する第１シート体11の第１横辺11cと第２横辺11dとの間に、第１横辺11cから第２横辺11dに向けて、第１横辺11c及び第２横辺11dと略平行に第１横仮想線L1と、第２横仮想線L2と、第３横仮想線l3と、第４横仮想線L4と、第５横仮想線L5と、第６横仮想線L6と、第７横仮想線L7と、第８横仮想線L8と、第９横仮想線L9と、第１０横仮想線L10と、第１１横仮想線L11と、第１２横仮想線L12と、第１３横仮想線L13を順次想定する。
【００２９】
なお、第１〜７縦仮想線R1〜R7、及び第１〜１３横仮想線L1〜L13を、第１シート体11の磁石配設面13にプリントしておいてもよい。
【００３０】
そして、第１〜７縦仮想線R1〜R7と第１〜４横仮想線L1〜L4との交点と、第２〜６縦仮想線R2〜R6と第５〜９横仮想線L5〜L9との交点と、第１〜７縦仮想線R1〜R7と第１０〜１２横仮想線L10〜L12との交点と、第２〜６縦仮想線R2〜R6と第１３横仮想線L13との交点にそれぞれ磁石Ｍを設けている。
【００３１】
このように磁石Ｍを設けることによって、磁石内蔵マットレスＡに仰向け状態に寝た場合に横幅の比較的大きい肩回り及び腰回りに効率よく磁石Ｍの磁気を作用させることができる。
【００３２】
上記した第１〜７縦仮想線R1〜R7において、特に第４縦仮想線R4は第１縦辺11aと第２縦辺11bとの略中間に位置させ、しかも、第２〜６縦仮想線R2〜R6を約８０ｍｍ間隔とするとともに、第１縦仮想線R1と第２縦仮想線R2との間隔は約９０ｍｍ、第６縦仮想線R6と第７縦仮想線R7との間隔は約９０ｍｍとしている。
【００３３】
さらに、上記した第１〜１３横仮想線L1〜L13において、第７横仮想線L7は第１横辺11cと第２横辺11dとの略中間に位置させ、しかも、第１〜１３横仮想線L1〜L13を約１００ｍｍ間隔としている。
【００３４】
このように第１〜７縦仮想線R1〜R7及び第１〜１３横仮想線L1〜L13を想定することによって、体格の差及び体型の差等の影響を比較的受けることなく、しかも、シングルとセミダブルの区別をすることなく一様に磁石Ｍを配置させることができ、磁石Ｍの配設形態を１つの形態として生産性を向上させることができる。
【図面の簡単な説明】
【００３５】
【図１】本考案にかかる磁石内蔵マットレスの縦断面概略説明図である。
【図２】第１シート体の磁石配設面における磁石の貼着状態の説明図である。
【符号の説明】
【００３６】
Ａ  磁石内蔵マットレス
Ｍ  磁石
10  芯シート体
11  第１シート体
11a 第１縦辺
11b 第２縦辺
11c 第１横辺
11d 第２横辺
12  第２シート体
13  磁石配設面
14  両面テープ
21  第１樹脂綿シート体
22  第２樹脂綿シート体
31  第１表面シート体
32  第２表面シート体
【図１】
0003103068.tif 000003
【図２】
0003103068.tif 000004